(57)【特許請求の範囲】
【請求項１】
簡単なシャッタ機構及びフイルム巻止め機構からなるメカユニットと、前記シャッタ機構を作動させるレリーズレバーを備え、前記メカユニットの可動部品又はレリーズレバーの少なくとも一部が露呈する開口部が形成されたユニット本体の少なくとも一部を、裏面に粘着剤が塗布された外装用ラベルによって前記開口部を含めて被覆したレンズ付きフイルムユニットにおいて、
前記外装用ラベルの裏面のうち、前記開口部を覆う部分にカバーシートが貼り付けられていることを特徴とするレンズ付きフイルムユニット。
【請求項２】
前記外装用ラベルは予め離形紙に貼り付けられており、外装用ラベルから前記離形紙を引き剥がした際に、離形紙に形成した無端カットラインによって囲まれた離形紙の一部が外装用ラベルの裏面のうち、前記開口部を覆う部分に残されることよって前記カバーシートが構成されるようにしたことを特徴とする請求項１記載のレンズ付きフイルムユニット。
【発明の詳細な説明】
【０００１】
【発明の属する技術分野】
本発明は、シャッタ機構の可動部品及びレリーズレバーの一部を表面に設けた開口部から露呈したユニット本体の一部を、全面に粘着剤が塗布された外装用ラベルで開口部を含めて覆って粘着固定したレンズ付きフイルムユニットに関するものである。
【０００２】
【従来の技術】
レンズ付きフイルムユニットは、複数の射出成形品からなり、簡単な撮影機構を内蔵するとともに予めパトローネ付きフイルムを装填したユニット本体と、これを覆う紙箱とで構成するものであり、廉価で使用も簡単であることから広く普及している。
【０００３】
ユニット本体は、パトローネを収納するパトローネ室とフイルムロールを収納するフイルム室とが一体に形成された本体基部と、この本体基部の前面に設けられ、撮影レンズ及びシャッタ機構を備えるメカユニットと、本体基部の背面から、パトローネ及びフイルムロールを収納したパトローネ室及びフイルム室とを光密に塞ぐ後カバーと、メカユニットを覆うように設けられる前カバーとから構成されており、これらは樹脂部品で構成されている。本体基部と前後カバーは射出成形による一体成形品であり、製造コストが極力抑えられている。
【０００４】
こうしたレンズ付きフイルムユニットでは、巻き上げ操作によりフイルム室から未露光の写真フイルムが引き出され、その巻き上げ操作に連動してシャッターチャージが行われ、レリーズボタンを押圧すると撮影が行われる。そして、露光済みの写真フイルムは、巻き上げ操作によってパトローネに巻き込み収納される。
【０００５】
ところで、前カバーの上部にレリーズボタンが一体成形されており、前カバーの前面側には、レリーズボタンの押圧力をシャッタ機構に伝達してシャッタ機構を作動させるためのレリーズレバーが、レリーズボタンと一体成形されている。このレリーズレバーを、前カバーの前面に形成した開口部に一部入り込むように配置して、ユニット本体の厚みが抑えられている。
【０００６】
ところで、こうしたレンズ付きフイルムユニットでは、箱形に折り曲げてユニット本体の表面を全体的に覆う外装体が用いられているが、この他に、外装体の両端もしくは全面に糊付け等を行い、ユニット本体の中央部分に巻き付ける帯状の外装用ラベルが検討されている。このような帯状の外装用ラベルを用いると、ユニット本体の表面を全体的に覆うものに比べて、外装材料が少なくて済むため低コストであり、包装工程の高速化を図ることができ、しかも、レンズ付きフイルムユニットの外形寸法を小さくすることができる。
【０００７】
【発明が解決しようとする課題】
しかし、前述したものでは、前カバーの前面の開口部から、レリーズレバーとシャッタ機構の可動部品が一部露呈するため、帯状の外装用ラベルでユニット本体を覆った場合に、外装用ラベルにレリーズレバーやシャッタ機構の可動部品が粘着して、スムーズな作動が困難となる。しかも、撮影時等に外側から指で押し付けられると強く粘着して、シャッタレリーズが不能になる恐れがある。
【０００８】
本発明は、上記課題を解決するためになされたもので、外装用ラベルにシャッタ機構の可動部品やレリーズレバーがくっつかないようにしたレンズ付きフイルムユニットを提供することを目的とするものである。
【０００９】
【課題を解決するための手段】
上述したような問題を解決するために、請求項１においては外装用ラベルの裏面のうち、開口部を覆う部分にカバーシートが貼り付けられている。請求項２においては外装用ラベルは予め離形紙に貼り付けられており、外装用ラベルから離形紙を引き剥がした際に、離形紙に形成した無端カットラインによって囲まれた離形紙の一部が外装用ラベルの裏面のうち、開口部を覆う部分に残されることよってカバーシートが構成されるようにしたものである。開口部に面した粘着面がカバーシートで覆われるので、粘着面にメカユニットの可動部品又はレリーズレバーの一部がくっつかなくった。
【００１０】
【発明の実施の形態】
以下、本発明の実施の形態を図面を参照して説明する。図６は、本発明に使用されるユニット本体の分解斜視図を示すものである。ユニット本体３は、本体基部５，前カバー６及び後カバー７，ストロボユニット８，シャッタ機構及びフイルム巻き止め機構等を備えたメカユニット９，パトローネ１０及びフイルム１１から構成されている。本体基部５，前カバー６及び後カバー７は射出成形によって一体形成された樹脂成形部品である。
【００１１】
メカユニット９は、フイルム１コマ分の移動により１回転する従動スプロケットと、従動スプロケットと同軸で回転し、フイルム１コマ巻き上げ時には係止レバー１２を時計回りに僅かに回転させるカムと、フイルム１コマ巻き上げ時に、パトローネ１０のスプールに係合した巻き上げダイヤル１３の回転を禁止する係止レバー１２と、係止レバー１２を時計回りに付勢してカムに嵌合させ、フイルム送りを禁止させるバネとで構成されたフイルム巻き止め機構と、係止レバー１２によりシャッタチャージ位置で係止され係止レバー１２が反時計回りに回転した際にシャッタ羽根を蹴ってシャッタ開口を開閉させるシャッタレバーとを有している。
【００１２】
本体基部５は、前面にメカユニット９とストロボユニット８とを組み付けると、前カバー６によって覆われる。本体基部５の両側にはパトローネ室２２とフイルム室２３とが形成されており、パトローネ室２２とフイルム室２３には、それぞれパトローネ１０と、パトローネ１０から引き出してロール形態にしたフイルム１１が収納される。
【００１３】
前カバー６の上部には、撮影時に押圧されるレリーズボタン１６が一体に形成されている。レリーズボタン１６には、レリーズボタン１６を押圧した際に係止レバー１２を反時計回りに回転させ、シャッタレバーを作動させるレリーズレバー１９が一体成形されている。射出形成によって前カバー６に一体成形する都合によって、レリーズレバー１９は、前カバー６の前面に、撮影レンズ１２と撮影機構を含めて覆うために突出された突出部１４，ファインダ１１等を露呈するための開口部等とともに形成した開口部２１から露呈して形成されており、開口部２１に一部が入り込んでユニット本体３の厚みが抑えられている。
【００１４】
前カバー６の前面から突出したグリップ部１５は、パトローネ室２２の外形に倣って半円筒形に突出したもので、撮影時にはグリップとして使用される。後カバー７は、パトローネ１０とフイルム１１とをそれぞれ収納したパトローネ室２２とフイルム室２３とを覆うように、本体基部５の背後から取り付けられる。
【００１５】
図５は、本発明に用いる外装用ラベルを展開して裏面側から示している。外装用ラベル４は装飾用の印刷が施されており、帯状に形成されている。外装用ラベル４はその全面に粘着剤が塗布されており、ユニット本体３の表面中央に帯状に一周取り囲むように被せて粘着固定する。端部に設けた重ね代２５はユニット本体３に被せたときにもう一方の端部が重ねられる。一点鎖線で示す谷折り用の折り目２４は、外装用シート４をユニット本体３の表面中央に貼り付けたときに、ユニット本体３の表面形状に沿って折り込まれる。なお、ミシン目２５は撮影済みのフイルムを取り出すときに破断するものである。
【００１６】
外装用ラベル４の所要部には突出部１４，ファインダ１１等を露呈するための開口４ａ〜４ｄが設けられている。なお、開口４ｂの横の斜線部は、ユニット本体３にこの外装用ラベル４を被せたときに前記開口部２１に面する範囲を示すものであり、ここには後述するカバーシート３３が貼り付けられている。
【００１７】
図４はラベル材料から外装用ラベルを作成するときの様子を示すものである。ラベル材料２９はラベルシート３０と離形紙３１とから構成されている。ラベルシート３０の裏面には全面に粘着剤が塗布されており、この粘着剤でラベルシート３０が離形紙３１に貼り付けられて一体になっている。ラベル材料２９は表面側と裏面側の両方からカッターが作動して、実線で表したカットラインでカットされて外装用ラベル４を形成する。
【００１８】
ラベル材料２９をラベルシート側から見た図４（Ａ）において、ラベルシート３０の表面には開口４ａ〜４ｄ及び外装用ラベル４を形成するためのカットライン３５が実線で設けられており、このカットライン３５でラベルシート３０が離形紙３１との境界までカットされる。離形紙３１側から見た図４（Ｂ）において、離形紙３１の表面には、離形紙３１の一部で前述したカバーシート３３を形成するためのカットライン３６が実線で設けられている。このカットライン３６で離形紙３１はラベルシート３０との境界までカットされる。
【００１９】
ラベルシート３０及び離形紙３１のカットが完了すると、外装用ラベル４を図３に示すように引き剥がす。外装用ラベル４を引き剥がした際に、外装用ラベル４のカットライン３５で囲まれた部分が離形紙３１に貼り付いて、外装用ラベル４の各部に開口４ａ〜４ｄが形成される。それと同時に離形紙３１のカットライン３６で囲まれたカバーシート３３は外装用ラベル４の表面に貼り付いて、外装用ラベル４に残され、図５に示す展開図が得られる。
【００２０】
図２で示すように、この外装ラベル４をユニット本体３に被せることでレンズ付きフイルムユニット２が構成される。外装用ラベル４はユニット本体３の表面中央を帯状に一周取り囲むようにして被せられて、外装用ラベル４の全面に塗布された粘着剤で粘着固定している。前述した開口部２１は外装用ラベル４で覆われて、開口部２１からの塵や埃の進入が防止されている。外装用ラベル４は、開口部２１を覆っている部分にカバーシート３３が貼り付けられている。この外装用ラベル４の各部に形成した開口４ａ〜４ｄからは、突出部１４，ファインダ１１等を露呈している。外装用ラベル４の両側から、グリップ部１５と、ストロボ発光部１８等が露呈している。
【００２１】
こうしたレンズ付きフイルムユニットでの撮影を簡単に説明すると、まず、巻き上げダイヤル１３を回転してフイルム１コマ巻き上げを行う。フイルム１コマ分の移動によりシャッタレバーがシャッタチャージ位置に戻され、係止レバー１２に係止される。レリーズボタン１６を押圧すると、レリーズレバー１９が係止レバー１２を反時計回りに回転する。係止レバー１２による係止が解除されたシャッタレバーは、シャッタ羽根を蹴ってシャッタ開口を開閉させる。
【００２２】
図１は、本発明を実施したレンズ付きフイルムユニットの要部斜視図である。外装用ラベル４には、開口部２１を覆っている部分にカバーシート３３が貼り付けられて、外装用ラベル４の開口部２１に面した粘着面をカバーしている。レリーズレバー１９や係止レバー１２に外装用ラベル４が押し付けられた場合でも、レリーズレバー１９や係止レバー１２に外装用ラベル４がくっつくことがないので、撮影に支障をきたすことがなくなる。
【００２３】
また、上記したものでは、外装用ラベル４でユニット本体３を一周取り囲んだレンズ付きフイルムユニットを示しているが、外装用ラベルでユニット本体３を一周せずに覆うようにしたレンズ付きフイルムユニットに本発明を適用してもよい。
【００２４】
また、カバーシート３３は前述した開口部２１を覆う部分に形成するだけでない。例えばシャッタレバーが入り込むような大きな開口を設けた場合には、その開口を覆う部分にカバーシートを新たに設けたりして、ユニット本体３の薄形化が図られるようにしてもよい。また、外装用ラベルに離形紙の一部でカバーシートを設ける代わりに、別途に貼り付けるようにしてもよい。
【００２５】
【発明の効果】
以上のように、本発明のレンズ付きフイルムユニットによれば、外装用ラベルの裏面のうち、開口部を覆う部分にカバーシートが貼り付けて、開口部に面した粘着面がカバーシートで覆われるようになっているので、粘着面にメカユニットの可動部品又はレリーズレバーの一部がくっつかなくなり、撮影に支障をきたすことがなくなった。
【図面の簡単な説明】
【図１】本発明を実施したレンズ付きフイルムユニットの要部を示す側面破断図である。
【図２】本発明を実施したレンズ付きフイルムユニットの前面側斜視図である。
【図３】本発明に用いられる外装用ラベルを引き剥がす様子の説明に用いられる斜視図である。
【図４】本発明に用いられる外装用ラベルを作成する様子の説明に用いられる上側平面図である。
【図５】本発明に用いられる外装用ラベルの展開図である。
【図６】本発明に用いられるユニット本体の分解斜視図である。
【符号の説明】
３  ユニット本体
４  外装用ラベル
６  前カバー
９  メカユニット
１２  係止レバー
１６  レリーズボタン
１９  レリーズレバー
２１  開口部
３０  ラベルシート
３１  離形紙
３３  カバーシート
３５，３６  カットライン
【図１】
0003667416.tif 000002
【図２】
0003667416.tif 000003
【図３】
0003667416.tif 000004
【図４】
0003667416.tif 000005
【図５】
0003667416.tif 000006
【図６】
0003667416.tif 000007